(57)【要約】【課題】多種多様な情報を表示し装飾を施すことのできる室名札を提供する。【解決手段】正面が印刷され軟質塩ビ樹脂からなる化粧シート２と、正面視で化粧シートと同形同大で硬質塩ビ樹脂からなり、化粧シートを裏打ちする平板３と、ポリカーボネート及びＡＢＳの複合樹脂からなり化粧シート及び平板の組み合わせ体と相補する凹部４１並びに凹部周縁の一方の側に面方向に張り出した取っ手４３を有するとともに、互いに鏡像関係にあって背中合わせにほぼ全面が結合された一対の枠４と、取っ手を摺動可能に挿入する溝が形成された６−ナイロンからなる取り付け具５とを備えることを特徴とする。【選択図】図１
0003111100.tif 000002
【実用新案登録請求の範囲】
【請求項１】
正面が印刷され軟質樹脂からなる化粧シートと、
正面視で化粧シートと同形同大で硬質樹脂からなり、化粧シートを裏打ちする平板と、
化粧シート及び平板の組み合わせ体と相補する凹部並びに凹部周縁の一方の側に面方向に張り出した取っ手を有するとともに、互いに鏡像関係にあって背中合わせにほぼ全面が結合された一対の枠と、
取っ手を摺動可能に挿入する溝が形成された取り付け具と
を備えることを特徴とする室名札。
【請求項２】
前記一対の枠は、前記取っ手同士が互いに離れる方向に反っており、取っ手の合計厚みが取っ手同士の間隔分だけ溝の幅よりも大きい請求項１に記載の室名札。
【請求項３】
前記化粧シートが軟質塩ビ、平板が硬質塩ビ、枠がポリカーボネート及びＡＢＳの複合樹脂、取り付け具が６−ナイロンからなる請求項１に記載の室名札。
【請求項４】
正面が印刷され軟質樹脂からなる化粧シートと、
正面視で化粧シートと同形同大で硬質樹脂からなり、化粧シートを裏打ちする平板と、
化粧シート及び平板の組み合わせ体と相補する凹部を有する枠と
を備えることを特徴とする室名札。
【請求項５】
前記化粧シートが軟質塩ビ、平板が硬質塩ビ、枠がポリカーボネート及びＡＢＳの複合樹脂からなる請求項４に記載の室名札。
【考案の詳細な説明】
【技術分野】
【０００１】
この考案は、部屋の入口付近に取り付けられる室名札に関する。
【背景技術】
【０００２】
従来の室名札は、正面視凹形の枠体の内周面に溝を形成し、その溝に金属製もしくはアクリル樹脂製の平板を差し込み、枠体を直接壁面に固着するか又は枠体の左右一方の側に形成された取り付け部を介して枠体を壁面もしくは柱に固着することにより、取り付けられていた（特許文献１）。そして、室名は、上記平板にカッティングシートを貼り付けることにより表示されていた。
【特許文献１】実開平５−４５７６１
【考案の開示】
【考案が解決しようとする課題】
【０００３】
しかし、従来の室名札は、上記のようにカッティングシートに貼り付けることにより室名を表示することから、室名のフォントがゴシック体などのカッティングしやすいものに限定される。また、小さな文字や複雑な記号を表示したり、背景を装飾したりすることができない。
それ故、この考案の課題は、多種多様な情報を表示し装飾を施すことのできる室名札を提供することにある。
【課題を解決するための手段】
【０００４】
その課題を解決するために、この考案の第１の室名札は、
正面が印刷され軟質樹脂からなる化粧シートと、
正面視で化粧シートと同形同大で硬質樹脂からなり、化粧シートを裏打ちする平板と、
化粧シート及び平板の組み合わせ体と相補する凹部並びに凹部周縁の一方の側に面方向に張り出した取っ手を有するとともに、互いに鏡像関係にあって背中合わせにほぼ全面が結合された一対の枠と、
取っ手を摺動可能に挿入する溝が形成された取り付け具と
を備えることを特徴とする。
【０００５】
この考案の室名札によれば、化粧シートが軟質樹脂からなるので、パソコンで作成し編集した文字、記号、図形、写真などの種々の情報をインクジェット印刷機などで自在に印刷することができる。しかも、平板で化粧シートを裏打ちしているので、定形に保たれ且つ取扱いが容易である。そして、これら化粧シート及び平板の組み合わせ体を枠で保護しているので、化粧シートが平板から剥離しにくく、長期的に安定して使用することができる。更に、枠が壁面と直交するように取り付け具を壁面に固定することにより、化粧シートが壁面に直交するうえ、前後両面に室名を表示することができる。従って、遠くからでも部屋を探しやすい。
【０００６】
材料の好ましい組み合わせは、前記化粧シートが軟質塩ビ、平板が硬質塩ビ、枠がポリカーボネート及びＡＢＳの複合樹脂、取り付け具が６−ナイロンからなる場合である。軟質塩ビは安価で印刷しやすいし、ポリカーボネート及びＡＢＳの複合樹脂は枠のような複雑形状でも高精度に成形可能だからである。また、６−ナイロンは複雑形状でも成形しやすく且つ強度が高いからである。
前記一対の枠は、前記取っ手同士が互いに離れる方向に反っており、取っ手の合計厚みが取っ手同士の間隔分だけ溝の幅よりも大きいのが好ましい。取り付け具に挿入する際は取っ手同士の間隔を狭めればよいし、挿入後は弾性復元力により取っ手が溝の内周面に圧接し、枠が取り付け具から落下しにくくなるからである。
【０００７】
その課題を解決するために、この考案の第２の室名札は、
正面が印刷され軟質樹脂からなる化粧シートと、
正面視で化粧シートと同形同大で硬質樹脂からなり、化粧シートを裏打ちする平板と、
化粧シート及び平板の組み合わせ体と相補する凹部を有する枠と
を備えることを特徴とする。
【０００８】
この室名札によれば、第１の室名札と同様に種々の情報を印刷することができ、定形に保たれて取扱いが容易であるうえ、長期的に安定して使用することができる。更にまた、化粧シート及び平板については第１の室名札と同形同質であってよく、枠についても取っ手の部分を除いては第１の室名札と同形同質であってよい。従って、化粧シート及び平板については勿論のこと、枠についても少しの工夫で成形用金型を第１の室名札と共用することができる。
【考案の効果】
【０００９】
室名札に多種多様な情報を表示することができるので、部屋を探し回る人が判別しやすくなる。また、装飾を施すこともできるので、建築物の内装の意匠性向上に寄与する。更にまた、壁面に垂直に取り付けられる突出タイプ（第１の室名札）と平行に取り付けられる平面タイプ（第２の室名札）とで成形型を共用することができるので、生産性に優れる。
【考案を実施するための最良の形態】
【００１０】
−実施形態１−
この発明の第１の実施形態を図面とともに説明する。図１は第１実施形態にかかる突出タイプの室名札を示す分解斜視図、図２は図１の室名札が柱に取り付けられている状態を示す要部断面図である。
室名札１は、身障者用トイレを表示するもので、化粧シート２、平板３、互いに同形同質の一対の枠４、４、及び取り付け具５を備える。
【００１１】
化粧シート２は、正面視が一辺１５ｃｍ程度の正方形をなし、軟質塩ビ樹脂からなる紙厚程度の薄いもので、一方の主面に車椅子利用者のマーク及び「どなたでもお使い下さい。」という文字がインクジェット印刷機にて印刷されている。平板３は、正面視で化粧シート２と同形同大で厚みが２．５ｍｍ程度の硬質塩ビ樹脂からなる。平板３の主面には、化粧シート２の裏面が粘着剤にて貼り合わせられている。
【００１２】
枠４は、ポリカーボネート及びＡＢＳの複合樹脂からなり、開口面積１４×１４ｃｍ、深さ２．５ｃｍ程度の凹部４１、及び凹部４１の周囲の縁４２の一方の側に面方向に張り出した取っ手４３を一体的に有する。従って、凹部４１は、化粧シート２及び平板３の組み合わせ体と相補し、接合体を凹部４１にはめ込むことにより、化粧シート２の表面と縁４２の表面とがほぼ面一となる。凹部４１の底には２箇所にネジ孔４４が設けられている。取っ手４３は、縁４２に連なる部分は２．５ｍｍ程度と相対的に薄く、縁４２から２ｃｍ程度離れた位置から端付近までは約２倍の厚さになる。枠４の背面は、図３に一部平面図として示すように取っ手４３の部分を除いて一つの平面上にあり、対をなすもう一つの枠４の背面と接合されている。但し、取っ手４３の背面は、縁４２から遠ざかるに連れて化粧シート２側に僅かに反っており、もう一つの枠４の取っ手４３と端に向かって末広がりの間隙４５を介して対向している。
【００１３】
取り付け具５は、中空の直方体形状をなし、その内部空間は枠４の一辺と同程度即ち１５ｃｍ程度の高さ、２枚の取っ手４３の合計厚みと同程度即ち１ｃｍ程度の幅、取っ手４３の肉厚部分と同程度の奥行きを有する。また、取り付け具５は、長寸方向の一方の端面が閉じ、他方の端面が開口しており、前面に開口部に連なり閉塞端に至るスリット５１が形成されている。スリット５１の幅は、２枚の取っ手４３の薄肉部の合計厚にほぼ等しい。取り付け具５の後面には３箇所にネジ孔５２が設けられている。
【００１４】
室名札１を使用するときは、２枚の枠４の凹部４１の底に両面テープでそれぞれ平板３の背面を貼り合わせるとともに、身障者用トイレの戸柱Ｐにドリルなどでネジの下穴Ｒをあけておき、取り付け具５をネジ５３にて固定する。そして、取っ手４３、４３同士を互いに寄せて間隙４５を狭めた状態で取り付け具５に挿入する。すると取っ手４３、４３が弾性復元力により再び互いに離れようとして取り付け具５の内面に圧接し、少々振動が生じても枠４、４が取り付け具５から抜けることは無い。
【００１５】
室名札１によれば、これを遠くから眺めても身障者用トイレであることが判り、近づけば身障者に限らず利用可能であることも判る。そして、化粧シート２の表面と縁４２の表面とが同じ高さであるから、誰かが徒に触れても化粧シート２が平板３から剥がれることはない。長期間の使用により化粧シート２が汚れたときや模様替えをしたいときは、平板３と枠４との隙間に先の尖った工具を差し込んでてこの作用で枠４から平板３及び化粧シート２の組み合わせ体を取りだす。そして、平板３と化粧シート２との間にカッターナイフを差し込んで化粧シート２を剥がし、新しい化粧シート２を貼ればよい。
【００１６】
−実施形態２−
この発明の第２の実施形態を図面とともに説明する。図４は第２実施形態にかかる平面タイプの室名札を示す分解斜視図、図５は図４の室名札の枠が壁面に取り付けられている状態を示す要部断面図である。
室名札１１は、研修室を表示するもので、化粧シート１２、平板１３、及び一枚の枠１４を備える。
【００１７】
化粧シート１２及び平板１３は、実施形態１における化粧シート２及び平板３と同形同質であってもよいし、異なっていても良い。異なる場合も化粧シート１２は、薄い軟質樹脂からなり、一方の主面に筆記用具のマークと「研修室」の文字とがインクジェット印刷機にて印刷されている。また、平板１３は、正面視で化粧シートと同形同大で厚い硬質樹脂からなり、一方の主面が化粧シート１２の背面と粘着剤で貼り合わせられている。
【００１８】
また、枠１４は、取っ手４３が形成されていないことを除いて実施形態１における枠４と同形同質であってもよいし、異なっていても良い。異なる場合も化粧シート１２及び平板１３の組み合わせ体と相補する凹部１４１を有し、縁１４２の表面は化粧シート１２の表面と面一である。
【００１９】
室名札１１を使用するときは、図５に示すようにトイレ付近の壁面Ｑにドリルなどでネジの下穴Ｓをあけておき、枠１４のネジ孔１４４にネジ１４５を差し込んで枠１４を固定する。そして、枠１４の底に両面テープで平板１３の背面を貼り合わせる。これにより実施形態１と同様の作用効果を生じる他、枠１４が取っ手４３以外は実施形態１における枠４と同形同質である場合、製造コストを節約することができるという利点を有する。即ち、例えば実施形態１の枠４を成形するための成形型に予め取っ手４３と同形同大の中子を入れておいて成形材料を流し込んだり、成形後に取っ手４３を切断して切断部を磨くか均すかすることにより、枠１４をも成形することができるからである。
【図面の簡単な説明】
【００２０】
【図１】実施形態１の室名札を示す分解斜視図である。
【図２】上記室名札が柱に取り付けられている状態を示す要部断面図である。
【図３】上記室名札の一部平面図である。
【図４】実施形態２の室名札を示す分解斜視図である。
【図５】上記室名札の枠が壁に取り付けられている状態を示す要部断面図である。
【符号の説明】
【００２１】
１，１１  室名札
２，１２  化粧シート
３，１３  平板
４，１４  枠
４１，１４１  凹部
４３  取っ手
５  取り付け具
【図１】
0003111100.tif 000003
【図２】
0003111100.tif 000004
【図３】
0003111100.tif 000005
【図４】
0003111100.tif 000006
【図５】
0003111100.tif 000007